(57)【要約】      （修正有）【課題】鋏の指掛部に、可燒性部材を使用することで、左右両利き用とした鋏を提供する。【解決手段】一対の鋏片１，２を回動支持部３で互いに交差して開閉動可能に支持し、その両鋏片１，２には回動支持部３より先端側に刃部４，５を設けるとともに回動支持部３より基端側に柄部６，７を設けている。両刃部４，５の幅方向の両側にそれぞれ刃縁４ａ，４ｂ，５ａ，５ｂを設けている。両柄部６，７の長手方向の両側に設けた固定止め部９と可動止め部１０との間で連結した指掛部材１１を両柄部６，７の外側で両柄部６，７の幅方向へ移動させて両柄部６，７の幅方向の両側にそれぞれ突出可能としている。指掛部材１１は両柄部６，７の幅方向へ移動させて反転させ得るとともに固定止め部９と可動止め部１０との間で形態を維持し得る可撓性を有している。【選択図】図１
0003171509.tif 000002
【実用新案登録請求の範囲】
【請求項１】
一対の鋏片を回動支持部で互いに交差して開閉動可能に支持し、その両鋏片には回動支持部より先端側に刃部を設けるとともに回動支持部より基端側に柄部を設けた鋏において、その両刃部の幅方向両側にそれぞれ刃縁を設け、また、その両柄部の長手方向両側に設けた止め部間で連結した指掛部材を両柄部の外側で両柄部の幅方向へ移動させて両柄部の幅方向両側にそれぞれ突出可能としたことを特徴とする左右両利き用鋏。
【請求項２】
前記柄部に設けた両止め部のうち、一方の止め部を柄部に対し移動不能に固定するとともに、他方の止め部を柄部に対し柄部の長手方向へ移動可能に支持して、一方の止め部に対する他方の止め部の間隔を調節可能にしたことを特徴とする請求項１に記載の左右両利き用鋏。
【請求項３】
前記柄部において一方の止め部と回動支持部との間で他方の止め部を移動可能に支持したことを特徴とする請求項２に記載の左右両利き用鋏。
【請求項４】
前記指掛部材は両柄部の幅方向へ移動させて反転させ得るとともに両止め部間で形態を維持し得る可撓性を有していることを特徴とする請求項１から請求項３のうちいずれか一つの請求項に記載の左右両利き用鋏。
【請求項５】
前記両刃部の幅方向両側に設けた刃縁のうち、一方の刃縁が両鋏片の開動時に相対向し得る右利き状態で、両柄部の幅方向両側のうち一方の刃縁から連続する側へ前記指掛部材が突出し、他方の刃縁が両鋏片の開動時に相対向し得る左利き状態で、両柄部の幅方向両側のうち他方の刃縁から連続する側へ前記指掛部材が突出することを特徴とする請求項１から請求項４のうちいずれか一つの請求項に記載の左右両利き用鋏。
【考案の詳細な説明】
【技術分野】
【０００１】
本考案は柄部の指掛部材を改良した左右両利き用鋏に関するものである。
【背景技術】
【０００２】
従来、下記の特許文献１で開示された左右両利き用鋏においては、両柄部の幅方向両側にそれぞれ指掛部材が設けられ、一方の指掛部材が右利き用として利用され、他方の指掛部材が左利き用として利用される。
【特許文献１】特公平３−３５１１号公報
【考案の開示】
【考案が解決しようとする課題】
【０００３】
しかし、各柄部に右利き用の指掛部材と左利き用の指掛部材とがそれぞれ設けられているため、柄部に対する指掛部材の取付構造が複雑になっていた。
また、上記の特許文献１では両柄部にそれぞれ一つの指掛部材を設けた左右両利き用鋏も開示されているが、本考案は別の設計思想のもとで指掛部材を右利き用と左利き用とに兼用した左右両利き用鋏を提供して柄部に対する指掛部材の取付構造を簡単にすることを目的としている。
【課題を解決するための手段】
【０００４】
後記実施形態の図面（図１〜４）の符号を援用して本考案を説明する。
請求項１の考案にかかる左右両利き用鋏においては、一対の鋏片（１，２）を回動支持部（３）で互いに交差して開閉動可能に支持し、その両鋏片（１，２）には回動支持部（３）より先端側に刃部（４，５）を設けるとともに回動支持部（３）より基端側に柄部（６，７）を設けている。その両刃部（４，５）の幅方向の両側にそれぞれ刃縁（４ａ，４ｂ，５ａ，５ｂ）を設けている。また、その両柄部（６，７）の長手方向の両側に設けた止め部（９，１０）間で連結した指掛部材（１１）を両柄部（６，７）の外側で両柄部（６，７）の幅方向へ移動させて両柄部（６，７）の幅方向の両側にそれぞれ突出可能としている。
【０００５】
請求項１の考案では、左右両利き用鋏において、指掛部材（１１）を右利き用と左利き用とに兼用するとともに、指掛部材（１１）を両柄部（６，７）の外側で両柄部（６，７）の幅方向へ移動可能にしたので、柄部（６，７）に対する指掛部材（１１）の取付構造を簡単にすることができる。
【０００６】
請求項１の考案を前提とする請求項２の考案において、前記柄部（６，７）に設けた両止め部（９，１０）のうち、一方の止め部（９）を柄部（６，７）に対し移動不能に固定するとともに、他方の止め部（１０）を柄部（６，７）に対し柄部（６，７）の長手方向へ移動可能に支持して、一方の止め部（９）に対する他方の止め部（１０）の間隔を調節可能にしている。請求項２の考案では、両止め部（９，１０）の間隔を使用者の指に応じて調節し、指掛部材（１１）の形態を変更して使い勝手を良くすることができる。
【０００７】
請求項２の考案を前提とする請求項３の考案にかかる柄部（６，７）において、一方の止め部（９）と回動支持部（３）との間で他方の止め部（１０）を移動可能に支持している。請求項３の考案では、柄部（６，７）に固定された一方の止め部（９）側で指を指掛部材（１１）に支えた状態で他方の止め部（１０）を移動させて使用者の指に応じて指掛部材（１１）の形態を容易に変更することができる。
【０００８】
請求項１から請求項３のうちいずれか一つの請求項の考案を前提とする請求項４の考案において、前記指掛部材（１１）は両柄部（６，７）の幅方向へ移動させて反転させ得るとともに両止め部（９，１０）間で形態を維持し得る可撓性を有している。請求項４の考案では、その可撓性を利用して指掛部材（１１）を右利き用鋏としての使用状態と左利き用鋏としての使用状態とに容易に切り替えることができるとともに、それらの使用状態で指掛部材（１１）の形態を維持することができる。
【０００９】
請求項１から請求項４のうちいずれか一つの請求項の考案を前提とする請求項５の考案においては、前記両刃部（４，５）の幅方向の両側に設けた刃縁（４ａ，４ｂ，５ａ，５ｂ）のうち、一方の刃縁（４ａ，５ａ）が両鋏片（１，２）の開動時に相対向し得る右利き状態で、両柄部（６，７）の幅方向の両側のうち一方の刃縁（４ａ，５ａ）から連続する側へ前記指掛部材（１１）が突出し、他方の刃縁（４ｂ，５ｂ）が両鋏片（１，２）の開動時に相対向し得る左利き状態で、両柄部（６，７）の幅方向の両側のうち他方の刃縁（４ｂ，５ｂ）から連続する側へ前記指掛部材（１１）が突出する。請求項５の考案では、右利き用鋏または左利き用鋏として使用することができる。
【考案の効果】
【００１０】
本考案は、左右両利き用鋏において柄部（６，７）に対する指掛部材（１１）の取付構造を簡単にすることができる。
【図面の簡単な説明】
【００１１】
【図１】（ａ）（ｂ）（ｃ）は右利き用鋏としての使用状態を示す正面図である。
【図２】（ａ）（ｂ）（ｃ）は左利き用鋏としての使用状態を示す正面図である。
【図３】（ａ）（ｂ）（ｃ）は左右両利き用鋏において指掛部材の退避状態を示す正面図である。
【図４】（ａ）は図３（ａ）のＡ−Ａ線拡大断面図であり、（ｂ）は図３（ａ）のＢ−Ｂ線拡大断面図である。
【考案を実施するための形態】
【００１２】
以下、本考案の一実施形態にかかる左右両利き用鋏について図面を参照して説明する。
図１に示す右利き用鋏としての使用状態と、図２に示す左利き用鋏としての使用状態と、図３に示す指掛部材の退避状態とで、いずれも、一対の鋏片１，２は回動支持部３で互いに交差されて開閉動可能に支持され、その両鋏片１，２には回動支持部３より先端側に刃部４，５が設けられているとともに回動支持部３より基端側に柄部６，７が設けられている。両刃部４，５の幅方向の両側にはそれぞれ刃縁４ａ，４ｂ，５ａ，５ｂが設けられている。
【００１３】
両柄部６，７には長手方向へ延びる案内孔８が設けられている。案内孔８の長手方向の両端部のうち、回動支持部３に対し遠い端部の付近で両柄部６，７には図４（ａ）に示す固定止め部９が長手方向へ移動不能に固定されている。固定止め部９と回動支持部３との間で両柄部６，７には図４（ｂ）に示す可動止め部１０が案内孔８に挿嵌されて長手方向へ移動可能に支持されている。固定止め部９と可動止め部１０との間には両柄部６，７の外側で指掛部材１１が連結されている。固定止め部９においては、柄部６，７に螺着されたボルト９ａで回動筒１２が回動可能に挟持され、指掛部材１１の固定端部１１ａが回動筒１２に巻き掛けられている。可動止め部１０においては、案内孔８に挿嵌されて互いに螺合されたボルト１０ａとナット１０ｂとで回動筒１３が回動可能に挟持され、指掛部材１１の可動端部１１ｂが回動筒１３に巻き掛けられている。指掛部材１１は、可撓性を有し、例えばコイル部材により形成されている。
【００１４】
両刃部４，５及び両柄部６，７は、図３（ａ）に示すように、一枚の板のように互いに重ね合わせて閉じることができ、図３（ｂ）に示す右利き状態と図３（ｃ）に示す左利き状態とに互いに開くことができる。可動止め部１０を案内孔８に沿うように回動支持部３に向けて移動させて固定止め部９に対し最離間させるとともにボルト９ａを締め付けて位置決めした状態で、指掛部材１１は両柄部６，７の外側において固定端部１１ａと可動端部１１ｂとの間で棒状に引き延ばされる。
【００１５】
図３（ｂ）の状態から可動止め部１０を案内孔８に沿うように固定止め部９に向けて移動させて接近させるとともに、両柄部６，７の幅方向の両側のうち一方の刃縁４ａ，５ａから連続する側へ指掛部材１１を突出させた後に、ボルト１０ａ及びナット１０ｂを締め付けて位置決めすると、図１に示すように一方の刃縁４ａ，５ａが両鋏片１，２の開動時に相対向し得る右利き状態となる。また、図３（ｃ）の状態から可動止め部１０を案内孔８に沿うように固定止め部９に向けて移動させて接近させるとともに、両柄部６，７の幅方向の両側のうち他方の刃縁４ｂ，５ｂから連続する側へ指掛部材１１を突出させた後に、ボルト１０ａ及びナット１０ｂを締め付けて位置決めすると、図２に示すように他方の刃縁４ｂ，５ｂが両鋏片１，２の開動時に相対向し得る左利き状態となる。
【００１６】
前述したように可動止め部１０を案内孔８に沿って移動させると、図１及び図２に示すように、固定止め部９に対する可動止め部１０の間隔を調節することができ、その間隔に応じて指掛部材１１の形態が変更される。指掛部材１１は両柄部６，７の幅方向へ移動させて反転させ得るとともに固定止め部９と可動止め部１０との間で形態を維持し得る可撓性を有している。指掛部材１１を両柄部６，７の幅方向へ移動させて反転させると、図１に示す右利き状態と図２に示す左利き状態とのいずれかに変更することができる。
【００１７】
本実施形態は下記の効果を有する。
（１）  両柄部６，７の長手方向の両側に設けた固定止め部９と可動止め部１０との間で連結した指掛部材１１を両柄部６，７の外側で両柄部６，７の幅方向へ移動させて両柄部６，７の幅方向の両側にそれぞれ突出可能としたので、左右両利き用鋏において指掛部材１１を右利き用と左利き用とに兼用することができるとともに、柄部６，７に対する指掛部材１１の取付構造を簡単にすることができる。
【００１８】
（２）  指掛部材１１の可撓性を利用して、指掛部材１１を両柄部６，７の幅方向へ反転させて右利き用鋏としての使用状態と左利き用鋏としての使用状態とに容易に切り替えることができるとともに、それらの使用状態で指掛部材１１の形態を維持することができる。
【００１９】
（３）  固定止め部９に対する可動止め部１０の間隔を使用者の指に応じて調節可能としたので、使用者の指に応じて指掛部材１１の形態を容易に変更して使い勝手を良くすることができる。
【００２０】
前記実施形態以外にも例えば下記のように構成してもよい。
・  前記実施形態では、柄部６，７に設けた両止め部９，１０のうち、一方の止め部９を柄部６，７に対し移動不能に固定するとともに、他方の止め部１０を柄部６，７に対し柄部６，７の長手方向へ移動可能に支持しているが、逆に、一方の止め部９を移動可能に支持するとともに、他方の止め部１０を移動不能に固定してもよい。
【００２１】
・  指掛部材１１としては、コイル部材以外に、ゴム部材などにより形成して可撓性を持たせてもよい。
・  前述した実施形態では柄部６，７において固定止め部９に対する可動止め部１０の間隔を調節可能にしたが、柄部の両止め部を共に固定して両止め部の間隔を一定にしてもよい。その場合には、指掛部材１１に必ずしも可撓性を持たせる必要がなく、柄部の両止め部で指掛部材の端部を柄部の長手方向に沿う軸を中心に回動可能に支持して、一つの指掛部材を柄部の幅方向へ回動させて反転させるようにしてもよい。
【符号の説明】
【００２２】
１，２…鋏片、３…回動支持部、４，５…刃部、４ａ，４ｂ，５ａ，５ｂ…刃縁、６，７…柄部、９…固定止め部、１０…可動止め部、１１…指掛部材、１１ａ…固定端部、１１ｂ…可動端部。
【図１】
0003171509.tif 000003
【図２】
0003171509.tif 000004
【図３】
0003171509.tif 000005
【図４】
0003171509.tif 000006